(57)【要約】      （修正有）【課題】移動フレームにチャックカセットを取り付ける際に、移動フレームとチャックカセットとの位置決めが容易に行えるようにした素材移送用チャック装置を提供する。【解決手段】素材の移送方向に往復動する移動フレーム５に、テーパー先端部６ａを有する位置決め用のブッシュ６を前後方向に移動可能に保持する保持体７を設けると共に、保持体７にブッシュ６を常時は移動フレーム５の前面側に突出させる付勢バネ８を内装する。移動フレーム５の前面にボルト止めにより着脱可能に取り付けられるチャックカセット１１にテーパー先端部６ａと係合するテーパー孔を設け、テーパー先端部６ａとテーパー孔とを合わせた状態でボルトを締め込むことによりブッシュ６をバネ８に抗して保持体の奥側に沈ませ、移動フレーム５に対しチャックカセット１１を位置決めしながら固定するようにした。【選択図】図２
0003148603.tif 000002
【実用新案登録請求の範囲】
【請求項１】
パンチと共に圧造ステーションを構成するダイから押し出された素材をその受取位置から次のダイの供給位置に移動させる素材移送用チャック装置であって、素材の移送方向に往復動する移動フレームと、移動フレームの前面にボルト止めにより着脱可能に取り付けられるチャックカセットとを備え、移動フレームに、テーパー先端部を有する位置決め用のブッシュを前後方向に移動可能に保持する保持部が設けられていると共に、保持部にブッシュを常時は移動フレームの前面側に突出する付勢バネが内装されている一方、チャックカセットにブッシュのテーパー先端部と係合する位置決め用のテーパー孔が設けられて、移動フレームへのチャックカセットのボルト止めによる取付時に、ブッシュのテーパー先端部とチャックカセットのテーパー孔とを合わせた状態で固定ボルトを締め込むことによりブッシュを付勢バネに抗して保持部の奥側に沈ませ、かつ移動フレームに対しチャックカセットを位置決めしながら固定するように構成されていることを特徴とする素材移送用チャック装置。
【請求項２】
移動フレームに複数の位置決め用のブッシュが複数のダイとそれぞれ対応する間隔をおいて並設されている一方、チャックカセットに複数の位置決め用のテーパー孔が複数の位置決め用のブッシュとそれぞれ対応するように並設されており、かつチャックカセットの各テーパー孔周りに、それぞれチャックユニットを着脱可能に取り付けるためのねじ孔が設けられていることを特徴とする素材移送用チャック装置。
【考案の詳細な説明】
【技術分野】
【０００１】  本考案は、パンチと共に圧造ステーションを構成するダイから押し出された素材をその受取位置から次のダイの供給位置に移動させる素材移送用チャック装置に関する。
【背景技術】
【０００２】  従来、ボルトやナット或いはその他の各種パーツ部品を成形する圧造成形機は、機台の側部より供給された素材を、相対向するダイとパンチを備えた圧造ステーションで粗から精に段階的に圧造加工することにより所定形状の製品を連続的に製造するものであるが、この種の成形機には上記の素材を保持して圧造ステーション間にわたって移送する素材移送用チャック装置が設けられている。【０００３】  そして、素材移送用チャック装置は、複数のダイを保持するダイブロックの上方に移動フレームがダイの並設方向に摺動可能に設けられる一方、移動フレームの前面部に、複数の移送チャックを着脱可能に支持するチャックカセット（支持板）を複数の固定ボルトによるボルト止めにより取り付け、かつ、このチャックカセットに複数の素材移送チャックを予め或いは後付けによりセットするように構成したものが知られている。
【考案の開示】
【考案が解決しようとする課題】
【０００４】  ところで、上記した素材移送用チャック装置にあっては、移動フレームの前面部にチャックカセットを複数の固定ボルトにより取り付ける際、移動フレームとチャックカセットとの間で位置ずれが発生し易く、正確な位置決めが迅速容易に行えないといった問題を有していた。また、移動フレームからチャックカセットを取り外すとき、移動フレームとチャックカセットとが食い付き状態になり、取り外しずらい問題も有していた。【０００５】  そこで、本考案は、移動フレームにチャックカセットを取り付ける際に、移動フレームとチャックカセットとの位置決めが容易に行え、その上、取り外しの際にも食い付き状態になったりすることなく簡単容易に取り外しが行える素材移送用チャック装置の提供を課題とする。
【課題を解決するための手段】
【０００６】  上記問題を解決するため本願の請求項１記載の考案は、パンチと共に圧造ステーションを構成するダイから押し出された素材をその受取位置から次のダイの供給位置に移動させる素材移送用チャック装置であって、素材の移送方向に往復動する移動フレームと、移動フレームの前面にボルト止めにより着脱可能に取り付けられるチャックカセットとを備え、移動フレームに、テーパー先端部を有する位置決め用のブッシュを前後方向に移動可能に保持する保持部が設けられていると共に、保持部にブッシュを常時は移動フレームの前面側に突出する付勢バネが内装されている一方、チャックカセットにブッシュのテーパー先端部と係合する位置決め用のテーパー孔が設けられて、移動フレームへのチャックカセットのボルト止めによる取付時に、ブッシュのテーパー先端部とチャックカセットのテーパー孔とを合わせた状態で固定ボルトを締め込むことによりブッシュを付勢バネに抗して保持部の奥側に沈ませ、かつ移動フレームに対しチャックカセットを位置決めしながら固定するように構成されていることを特徴とする。【０００７】  また、本願の請求項２記載の考案は、請求項１記載の構成における移動フレームに複数の位置決め用のブッシュが複数のダイとそれぞれ対応する間隔をおいて並設されている一方、チャックカセットに複数の位置決め用のテーパー孔が複数の位置決め用のブッシュとそれぞれ対応するように並設されており、かつチャックカセットの各テーパー孔周りに、それぞれチャックユニットを着脱可能に取り付けるためのねじ孔が設けられていることを特徴とする。
【考案の効果】
【０００８】  本考案によれば、上記した構成により、移動フレームへのチャックカセットのボルト止めによる取付時に、ブッシュのテーパー先端部とチャックカセットのテーパー孔とを合わせた状態で固定ボルトを締め込むことによりブッシュを付勢バネに抗して保持部の奥側に沈ませ、かつテーパー先端部によるテーパー孔の誘導作用で移動フレームに対しチャックカセットを位置決めしながら固定することができる。その結果、移動フレームに対するチャックカセットの位置決めが簡単容易にかつ正確に行うことができる。その上、移動フレームからチャックカセットを取り外す際にも、ボルトを緩めるだけで付勢バネにより移動フレームの前面側に押し出されるブッシュによりチャックカセットは移動フレームの前方側へ押し出されることになり、チャックカセットと移動フレームとが食い付き状態となったりすることなく簡単かつスムーズに取り外すことができる。【０００９】  また、移動フレームに複数の位置決め用のブッシュが複数のダイとそれぞれ対応する間隔をおいて並設されている一方、チャックカセットに複数の位置決め用のテーパー孔が複数の位置決め用のブッシュとそれぞれ対応するように並設されており、かつチャックカセットの各テーパー孔周りに、それぞれ素材移送チャックを着脱可能に取り付けるためのねじ孔が設けられている構成とすれば、テーパー状ブッシュとテーパー孔とで構成される複数の位置決め機構により複数箇所においてより正確に位置決めできるし、また、たとえばチャックカセットの各テーパー孔周りに、予めそれぞれの素材移送チャックをセットしておけば、全体的な組付作業も簡単かつ迅速に行えるのでこのましい。
【考案を実施するための最良の形態】
【００１０】  以下、本考案の実施の形態を図に基づいて説明する。【００１１】  図１は、本考案に係る素材移送用チャック装置を備えた多段式圧造成形機を示し、該圧造成形機１は機台（図示せず）の所定位置にダイブロック２が設けられ、該ダイブロック２に複数個（図では４個）のダイ３…が一定の間隔で配置されると共に、これらのダイ３…にむかって進退するラム（図示せず）の前面に、上記ダイ３…と同数のパンチ（図示せず）がこれらダイ３…に対向して配置されて、これらの各ダイ３…とパンチとにより複数の圧造ステーションが構成され、かつパンチの進退移動によって、該パンチとダイ３…との間で素材を粗から精に順次段階的に圧造加工するようになされている。【００１２】  そして、上記ダイブロック２の上方には、各ダイ３から押し出された素材をその受取位置から次のダイ３の供給位置に移動させる素材移送用チャック装置４が設けられている。【００１３】  素材移送用チャック装置４としては、上記ダイブロック２の上方に移動フレーム５が摺動可能に取り付けられ、移動フレーム５の各ダイ３の対向位置にそれぞれ位置決め用のブッシュ６が設けられている。ブッシュ６は円柱状で先端にテーパー先端部６ａをまた後端にストッパー用の鍔部６ｂを有している。移動フレーム５には、ブッシュ６の前後移動を許す貫通孔５ａと、貫通孔５ａの後面周りに設けられてブッシュ６の前後移動範囲を一定に規制しながら保持する蓋状の保持体（保持部）７と、ブッシュ６と保持体７との間に介装されて常時はブッシュ６を移動フレーム５の前面側に突出させる付勢バネ８と、後記するチャックカセット１１の取付用ねじ孔５ｂ…を多数備えている。また、移動フレーム５の一端部には、パンチの進退動作に同期してパンチの進退方向と直交するダイ並設方向に所定のストロークで進退する駆動ロッド９が連結され、駆動ロッド９の進退動作にともなって移動フレーム５が隣接するダイ３，３の間隔に等しい距離だけ、上記パンチが後退している時間内に一往復移動されるようになされている。【００１４】  上記移動フレーム５の前面部には、板状のチャックカセット１１が複数の固定ボルト１２…により着脱可能に取り付けられる。チャックカセット１１には、各ブッシュ６のテーパー先端部と係合する位置決め用のテーパー孔１１ａ…と、その前面に後記する素材移送用チャック１４を取付ボルト１３…により取り付けるためのねじ孔１１ｂ…と、固定ボルト１２…の移動フレーム５側への挿通孔１１ｃ…とが設けられている。【００１５】  チャックカセット１１の前面には、各テーパー孔１１ａ…に対向して取付ボルト１３…により適宜素材移送用チャック１４…が取り付けられる。素材移送用チャック１４はその昇降軸部１４ａが上下に揺動する適宜揺動レバー駆動機構（図示せず）により上下動されて開閉チャック爪１４ｂ，１４ｂが開閉される。なお、この素材移送用チャック１４は本考案の要旨ではないのでその具体的な構造については省略する。また、素材移送用チャック１４としては図１に示すような開閉チャック爪タイプのものであってもよいし、その他、例えば弾性を利用した嵌合により素材を挟持するタイプのチャックなどであってもよい。【００１６】  そして、チャック���セット１１の移動フレーム５への固定ボルト１２…によるボルト止め時には、ブッシュ６のテーパー先端部６ａとチャックカセット１１のテーパー孔１１ａとを突き合わせた状態で固定ボルト１２…を締め込むことによりブッシュ６を付勢バネ８に抗して保持体７の奥側に沈ませ、かつ移動フレーム５に対しチャックカセット１１を位置決めしながら固定するようになされている。【００１７】  なお、図示していないが、移動フレーム５は図示していないがガイドレール等の適宜案内部材に摺動可能に支持される。【００１８】  次に、素材移送用チャック装置の作用について説明する。【００１９】  まず、移動フレーム５にチャックカセット１１を取り付ける際、例えば予めチャックカセット１１の前面に素材移送用チャック１４…を取付ボルト１３…により取り付けてセットしておく。次に、移動フレーム５の前面に素材移送用チャック１４…を取り付けたチャックカセット１１を宛がうと共に、各ブッシュ６…のテーパー先端部６ａ…とチャックカセット１１の各テーパー孔１１ａ…とを突き合わせた状態で固定ボルト１２…を締め込む。これによりチャックカセット１１はそのテーパー孔６ａ…部分によりブッシュ６…を付勢バネ８に抗して保持体７の奥側に沈ませ、かつテーパー先端部６ａによるテーパー孔１１ａの誘導作用で移動フレーム５に対しチャックカセット１１を位置決めしながら固定することができる。その結果、単にボルト締め作業を行うだけで移動フレーム５に対するチャックカセット１１の位置決めが簡単容易にかつ正確に行うことができる。移動フレーム５に対するチャックカセット１１の位置決めが簡単容易にかつ正確に行うことができる。【００２０】  その場合、特に移動フレーム５に複数の位置決め用のブッシュ６…が複数のダイ３とそれぞれ対応する間隔をおいて並設されている一方、チャックカセット１１に複数の位置決め用のテーパー孔１１ａ…が上記した複数のブッシュ６…とそれぞれ対応するように並設されている構成としたので、各ブッシュ６…とテーパー孔１１ａ…とで構成される複数の位置決め機構により複数箇所において位置決めすることができ、これにより一層正確な位置決めが行える。【００２１】  また、チャックカセット１１の各テーパー孔１１ａ…周りに、それぞれ素材移送チャック１４…を着脱可能に取り付けるためのねじ孔１１ｂ…が設けられているので、チャックカセット１１の各テーパー孔１１ａ…周りに、それぞれ素材移送チャック１４…を予めセットしておくことができるので、その組付作業の容易化を図ることができる。【００２２】  なお、以上の説明では予めチャックカセット１１の各テーパー孔１１ａ…における前面に素材移送チャック１４…をセットして、その組付作業の容易化を図るようにしたものについて説明したけれども、この他、たとえばチャックカセット１１に移送チャック１４…をセットせずに、チャックカセット１１のみを移動フレーム５に取り付け、その後に素材移送チャック１４…をチャックカセット１１にセットするようにしてもよいことは勿論である。【００２３】  また、チャックカセット１１を移動フレーム５から取り外す際には、固定ボルト１２…を緩めることによりブッシュ６が付勢バネ８により強制��に移動フレーム５の前面側に押し出されることになる。これによりチャックカセット１１が移動フレーム５の前面に食い付いて離れにくくなったりすることはなく、チャックカセット１１は移動フレーム５の前方側へ押し出されることにより簡単迅速に取り外すことができる。【００２４】  上記した実施の形態では一つのチャックカセット１１にすべて素材移送チャック１４をセットできる構成としたけれども、斯かる構造に限定されるものではなく、例えば複数の分割チャックカセット（図示せず）を用いて、一つの移送チャックや複数の移送チャックを分割的に移動フレームに取り付ける構造としてもよい。また、素材移送用チャック１４のチャックカセット１１への取り付けはチャックカセット１１を移動フレーム５に取り付ける前に予め先付けしておいてもよいし、或いはチャックカセット１１を移動フレーム５に取り付けた後、後付けにより取り付けてもよい。さらには、一旦移動フレーム５に取り付けた素材移送用チャック１４を別の素材移送用チャックに交換することも可能である。
【図面の簡単な説明】
【００２５】
【図１】  本考案に係る素材移送用チャック装置を適用する圧造成形機の要部の正面図である。
【図２】  同チャック装置の要部の縦断面図である。
【図３】  同チャック装置の要部を分解した縦断面図である。
【図４】  同チャック装置における移動フレームの正面図である。
【図５】  同チャック装置におけるチャックカセットの正面図である。
【符号の説明】
【００２６】３              ダイ
４              素材移送用チャック装置
５              移動フレーム
６              ブッシュ
６ａ            テーパー孔
７              保持体（保持部）
８              付勢バネ
１１            チャックカセット
１１ａ          テーパー孔
１２            固定ボルト（ボルト）
１４            素材移送チャック
【図１】
0003148603.tif 000003
【図２】
0003148603.tif 000004
【図３】
0003148603.tif 000005
【図４】
0003148603.tif 000006
【図５】
0003148603.tif 000007
【手続補正書】
【提出日】平成20年11月13日(2008.11.13)
【手続補正１】
【補正対象書類名】実用新案登録請求の範囲
【補正対象項目名】全文
【補正方法】変更
【補正の内容】
【実用新案登録請求の範囲】
【請求項１】
パンチと共に圧造ステーションを構成するダイから押し出された素材をその受取位置から次のダイの供給位置に移動させる素材移送用チャック装置であって、素材の移送方向に往復動する移動フレームと、移動フレームの前面にボルト止めにより着脱可能に取り付けられるチャックカセットとを備え、移動フレームに、テーパー先端部を有する位置決め用のブッシュを前後方向に移動可能に保持する保持部が設けられていると共に、保持部にブッシュを常時は移動フレームの前面側に突出する付勢バネが内装されている一方、チャックカセットにブッシュのテーパー先端部と係合する位置決め用のテーパー孔が設けられて、移動フレームへのチャックカセットのボルト止めによる取付時に、ブッシュのテーパー先端部とチャックカセットのテーパー孔とを合わせた状態で固定ボルトを締め込むことによりブッシュを付勢バネに抗して保持部の奥側に沈ませ、かつ移動フレームに対しチャックカセットを位置決めしながら固定するように構成されていることを特徴とする素材移送用チャック装置。
【請求項２】
移動フレームに複数の位置決め用のブッシュが複数のダイとそれぞれ対応する間隔をおいて並設されている一方、チャックカセットに複数の位置決め用のテーパー孔が複数の位置決め用のブッシュとそれぞれ対応するように並設されており、かつチャックカセットの各テーパー孔周りに、それぞれチャックユニットを着脱可能に取り付けるためのねじ孔が設けられていることを特徴とする請求項１記載の素材移送用チャック装置。